Podtech/llm-jp-corpus-v4-ja_patent huggingface dataset:
(57)【要約】【課題】  既存のダブルクリップの相対する開閉レバーは閉じている状態では、相対する開閉レバーが同じ形状で密着しているため開きにくい難点がある。生産工程を複雑にすることなく、相対する開閉レバーの摘み部に指が掛かり易い形状を与えることで開閉レバーの開きにくい難点を解決するものである。【解決手段】  本発明は、ダブルクリップの開閉レバーの形状を縦軸に対して左右非対称の平面的な形状にすることによって、開閉レバーが閉じている状態の時に、相対する開閉レバーの摘み部にずれた部分が生じ、開閉レバーの摘み部に指が掛り易くし開き易くするものである。【選択図】図３
2011218769.tif 000002
【特許請求の範囲】
【請求項１】
ダブルクリップの相対する開閉レバーが閉じている時に、その二つの相対する開閉レバーの摘み部がずれた状態になり、指が掛かりやすくなるようにして開閉レバーを開き易くしたダブルクリップ
【発明の詳細な説明】
【技術分野】
【０００１】  本発明は、書類を綴じるダブルクリップを使用し易くする為の改良に関するものである。
【背景技術】
【０００２】  既存のダブルクリップの相対する開閉レバーは閉じている時、その相対する開閉レバーが同じ形状で密着しているため、開閉レバーの摘み部に指が掛かりにくい。
【先行技術文献】
【特許文献】
【０００３】
【特許文献１】特開平９−８６０８６
【発明の概要】
【発明が解決しようとする課題】
【０００４】  既存のダブルクリップの相対する開閉レバーが閉じている状態の時、その相対する開閉レバーが同じ形状で密着しているため、開閉レバーの摘み部に指を掛けにくく開閉レバーを開きにくい難点を解決する方法として上記先行特許文献があるが、その発明では開閉レバーを立体的に加工する為、生産するうえでは既存のダブルクリップの開閉レバーより高コストになる。本発明は既存のダブルクリップの開閉レバーを生産することと同等の平面的な加工で開閉レバーの持つ開きにくい難点を解決するものである。【０００５】  本発明のダブルクリップの開閉レバーは上記先行特許文献の開閉レバーと異なり平面的に収まるため、ダブルクリップでまとめた書類等の収納時にもダブルクリップそのものが障害になることがない。
【課題を解決するための手段】
【０００６】  本発明は、ダブルクリップに、縦軸に対して左右非対称な平面的な形状の開閉レバーを相対して反転させて取り付けることによって、開閉レバーが閉じた状態の時に相対する開閉レバーの摘み部にずれた部分を生じさせ、開閉レバーに指が掛り易くし開き易くするものである。
【発明の効果】
【０００７】  本発明は、ダブルクリップに縦軸に対して左右非対称の形状の開閉レバーを反転して相対させて取り付けることで、開閉レバーが閉じている状態の時に、その摘み部がずれた状態になり、指が掛かりやすくして開閉レバーを開き易くするものであるので、単一形状の平面的な開閉レバーを生産すればよく、その生産コストも既存の物と同等に抑えることができる。
【図面の簡単な説明】
【０００８】
【図１】本発明の開閉レバーを取り付けたダブルクリップの正面図である。
【図２】本発明の開閉レバーの一方と、その縦軸である。
【図３】本発明の開閉レバーを取り付けたダブルクリップの斜視図である。
【発明を実施するための形態】
【０００９】  図３を基に説明すると、本発明のダブルクリップ１の開閉レバーとして、縦軸に対して左右非対称な形状の開閉レバー２と、それと同じものを反転させて取り付けた開閉レバー３とを組み合わせることによって、開閉レバー３が閉じた状態４の時、相対する他方の開閉レバー２との重なった摘み部にずれた部分が生じ、指を掛かりやすくして開閉レバーを開き易くするものであるので、単一形状の平面的な開閉レバーを生産すればよく、その生産コストも既存の物と同等に抑えることができる。
【００１０】  本発明のダブルクリップでは、その開閉レバーの形状は縦軸に対して左右非対称であれば良く、その材質には金属・プラスチック等様々な素材を適用させることが可能であり、またその形状には装飾等デザイン性を持たせることも可能である。
【符号の説明】
【００１１】１  本発明の、縦軸に対して左右非対称の摘み部を持つ開閉レバーを取り付けた、ダブルクリップ
２  縦軸に対して左右非対称の摘み部を持つ一方の開閉レバー
３  縦軸に対して左右非対称の摘み部を持つ、２を反転して取り付けた、他方の開閉レバー
４  縦軸に対して左右非対称の摘み部を持つ、２を反転して取り付けた、他方の開閉レバー３が閉じている状態
５  開閉レバーの縦軸
【図１】
2011218769.tif 000003
【図２】
2011218769.tif 000004
【図３】
2011218769.tif 000005
(57)【要約】【課題】  地面の凹凸や段差による走行時の衝撃の緩和とローラー内の各スプリングの全長の差で下り坂効果による楽な運搬走行を目的とする。【解決手段】（７）ローラ軸穴を有する（８）駆動ローラと（９）接地ローラーの中間に等間隔に長さの違った偶数個のスプリングを設け地面の凹凸や段差による衝撃の緩和と下り坂効果を設けた構成である。【選択図】      図２
2011218962.tif 000002
【特許請求の範囲】
【請求項１】
転がるローラーが凹凸部に衝突した時は、そのショックを柔らげるため内輪と外輪の間にスプリングを設けたショック緩和スプリングローラー。
【請求項２】
それぞれのスプリングは等間隔に全長を変え設けたショック緩和スプリングローラー。
【請求項３】
それぞれのスプリングの全長は同じでスプリングの嵌め込む穴の深さを変えたショック緩和スプリングローラー。
【発明の詳細な説明】
【技術分野】
【０００１】
本発明は地面の凹凸が車輪から台車の積荷に与えるショックを柔らげ走行をスムーズに行なう事を図ったショック緩和スプリングローラーに関する。
【背景技術】
【０００２】
従来の台車用キャスタは（例えば特許文献参照）走行中地面の凹凸や段差によるショックや振動が諸に積荷や手に受け荷崩れや損傷、衝撃音となり運搬に困難を来していた。
【先行技術文献】
【特許文献】
【０００３】
【特許文献１】特開２００８−１４３２０４号公報
【特許文献２】特開２００７−０３８７４２号公報
【発明の概要】
【発明が解決しようとする課題】
【０００４】
以上に述べた従来のキャスタはショックを緩和する構造ではないので走行中の音もうるさく手に伝わる振動も大きかった。
【０００５】
本発明は従来のキャスタが有していた問題を解決しようとするもので、地面の凹凸、段差によるショックを柔らげ台車での運搬を円滑に行う事を目的とする。
【課題を解決するための手段】
【０００６】
そして、本発明は上記目的を達成するために、軸受を設けた駆動ローラーと接地ローラーの間に偶数のスプリングを等間隔に設け接地ローラー内径にスプリング座を設ける。
【０００７】
又、偶数のスプリングのそれぞれの全長を変えローラーが転がり安くする。
【０００８】
又、駆動ローラーと接地ローラーの間が狭い場合は駆動ローラーに嵌る座の深さを変え全長が同じスプリングを設ける事でローラーが転がり安くする。
【発明の効果】
【０００９】
本発明のショック緩和スプリングローラーは台車のキャスタとして４個取付けて走行する場合地面の凹凸、段差による衝撃の吸収により荷の崩れ、損傷防止、衝撃や反響音も小さくなり握る手への振動も小さくなる。又、それぞれのスプリングの全長の違いによる下り坂効果で、隋力もつき運搬が楽になる。
【００１０】
本発明のショック緩和スプリングローラーを台車に４個取付け、４個の１スプリングの位置を地面に接地し同期回転で走行を開始すれば効果は倍増する。  
【図面の簡単な説明】
【００１１】
【図１】キャスタとして使う時の断面図。
【図２】同じ長さのスプリングで嵌まる穴の深さを変えたローラーの断面図。
【図３】それぞれのスプリングの全長を変え嵌まる穴の深さを一定にしたローラーの断面図。
【図４】走行時ローラー軸受の転がり移動する時の線の様子。
【発明を実施するための形態】
【００１２】
以下本発明の実施の形態を図１〜図４に基づいて説明する。
【００１３】
図においては、１軸受を中心にローラーは地面上を転げる。地面の凹凸に９接地ローラーが当るとそのショックで１〜６のスプリングが伸び縮みし復元力でショックを柔らげる。
【００１４】
１から６スプリングは全長が違う。１から４までは少しずつ短かいのでローラーは図４に示す通り転がろうとし隋力もつく。次に１スプリングへ転がるため５と６スプリングは少しずつ長い。
【００１５】
平坦な地面を走行する時でも積荷の多少にかかわりなく６個のスプリングの相互の伸び縮により円滑でスムーズな運搬が出来る。
【符号の説明】
【００１６】
１．２．３．４．５．６          スプリング
７．                            ローラー軸受
８．                            駆動ローラー
９．                            接地ローラー
１０．１１                        カバ
１２．                            接地ローラースプリング受座
【図１】
2011218962.tif 000003
【図２】
2011218962.tif 000004
【図３】
2011218962.tif 000005
【図４】
2011218962.tif 000006
(57)【要約】【課題】  システアミン又はその塩を含む毛髪処理剤の特異臭を消臭した毛髪処理剤の提供。【解決手段】  システアミン又はその塩を主原料にした毛髪処理剤であって、システアミン又はその塩１００重量％に対し、Ｌ−システイン又はＤＬ−システインを５．０重量％以上５０．０重量％以下、ＤＬ−リンゴ酸を０．０１重量％以上５．０重量％以下、エタノールを５．０重量％以上５０．０重量％以下の範囲に含有し、システアミンの特異臭を消臭したことを特徴とした毛髪処理剤の提供。【特許請求の範囲】
【請求項１】
主原料がシステアミン又はその塩を含む毛髪処理剤であって、Ｌ−システイン又はＤＬ−システインと、ＤＬ−リンゴ酸と、エタノールを含有し、システアミンの特異臭を消臭したことを特徴とする毛髪処理剤。
【請求項２】
システアミン又はその塩１００重量％に対し、Ｌ−システイン又はＤＬ−システインを５．０重量％以上５０．０重量％以下、ＤＬ−リンゴ酸を０．０１重量％以上５．０重量％以下、かつエタノールを５．０重量％以上５０．０重量％以下の範囲に有り、システアミンの特異臭を消臭したことを特徴とした毛髪処理剤。
【発明の詳細な説明】
【発明が属する技術分野】
【０００１】  本発明は、システアミン又はその塩を含む毛髪処理剤の不快な反応臭を消臭した毛髪処理剤の組成に関する。
【背景技術】
【０００２】  システアミン又はその塩を含む毛髪処理剤は、主に毛髪の変形を目的として、酸性領域でも効果が得られるため、損傷毛に最適とされている毛髪処理剤である。【０００３】  しかしシステアミンは毛髪に作用したとき、不快な特異臭を発生させるため、特異臭を消臭した毛髪処理剤の開発が望まれていた。【０００４】  この不快な特異臭を抑制するため、後処理剤が提供されている。シクロデキストリンを含み、分子内部に疎水性の空間に水に不溶の物質を取り込む性質を利用した消臭剤組成物（特許文献１参照）または変性シリコーンを含有し、毛髪を覆う性質を利用した消臭剤組成物（特許文献２参照）が提供されている。しかし後処理剤においては、洗い流すと効果が減少し、不快な特異臭が発生するため、改善する必要があった。
【特許文献１】特開２００１−１２３１９４
【特許文献２】特開２００６−１１７６２２
【０００５】  また、同様に過酸化水素を含む酸化剤で処理する方法も提示されている（特許文献３参照）が、現薬事法ではチオグリコール酸及びその塩、システイン及びその塩又は誘導体を主体とするパーマネントウェーブ用剤、すなわち医薬部外品に限り使用でき、システアミン及びその塩を含む毛髪処理剤のいわゆる化粧品には使用できず、実用的でない。
【特許文献３】特開２００４−１５５７４８
【発明が解決しようとする課題】
【０００６】  本発明は上記事情に鑑みてなされたもので、その目的は、現薬事法のシステアミン及びその塩を含む毛髪処理剤のいわゆる化粧品に使用が許可されている臭素酸を含む酸化剤を使用して、顕著な成果を発揮し、ウェーブ、ストレート等の毛髪処理効果、毛髪の仕上がり感触等の毛髪処理剤の基本的機能が損なわれることなく、システアミンの不快な特異臭を消臭し優れた毛髪処理剤を提供することにある。
【課題を解決するための手段】
【０００７】  前記課題を解決するために研究を行った結果、システアミン又はその塩を含む毛髪処理剤中に、特定量のシステイン又はその塩と共に、エタノール及びリンゴ酸を配合することにより前記課題が解決されることを見出し、本発明を完成するに至った。
【発明の効果】
【０００８】  この発明により、システアミン又はその塩を含む毛髪処理剤の不快な特異臭を消臭し、かつ毛髪の仕上がり感触等が損なわれることなく優れたものであった。
【発明を実施するための最良の形態】
【０００９】  以下、この発明を実施するための最良の形態について説明する。【００１０】  毛髪処理剤を構成するシステアミン又はその塩は、配合重量％に比例し毛髪に対する作用が強く不快臭も強くなる。【００１１】  実施例においては以下のものを使用した。尚、配合量は重量％とする。【００１２】  この実施形態にかかる毛髪処理剤は、システアミン又はその塩と共に毛髪処理剤を構成する添加材料として、Ｌ−システイン又はその塩をＤＬ−システイン０．５重量％以上５０．０重量％以下の範囲で、ＤＬ−リンゴ酸を０．０１重量％以上５．０重量％以下、エタノールを０．１重量％以上５．０重量％以下の範囲で含有されるものである。【００１３】  かかる毛髪処理剤の典型的な構成例（配合例）の一つを表１に示す。
【表１】
2011093875.tif 000002
【００１４】  実施例におけるシステアミンＨＣＬの配合量が多いほど、毛髪処理剤の本発明の効果を顕著に評価できる。
【実施例】
【００１５】  ヘアカラー処理のされているモニターを選択し、頭髪にロッドを巻き、上記（表１）配合例−１の毛髪処理剤を塗布後、６分から１０分放置し、水ですすぎ流した後、酸化剤の臭素酸ナトリウムを塗布し１０分放置、すすぎ流した後及び翌日のシャンプー後、官能テストにより臭気を評価した。官能テストにおける評価基準は以下のとおりである。【００１６】（臭気の評価基準）
◎…当日及び翌日のシャンプー後も特異臭を消臭できている。
○…当日は特異臭をやや消臭できて、翌日のシャンプー後は特異臭を消臭できている。
△…当日及び翌日のシャンプー後も特異臭をやや消臭できている。
×…特異臭をほとんど消臭できていない。【００１７】モニター（Ａ）女性  ３５才  ◎
モニター（Ｂ）女性  ６２才  ◎
モニター（Ｃ）女性  ６５才  ◎
モニター（Ｄ）男性  ２６才  ◎
モニター（Ｅ）女性  ４１才  ◎
モニター（Ｆ）女性  ７５才  ◎
モニター（Ｇ）女性  ２９才  ◎
モニター（Ｈ）女性  ６１才  ◎
モニター（Ｉ）男性  ４６才  ○
モニター（Ｊ）女性  ８３才  ◎
モニター（Ｋ）女性  ２８才  ◎
モニター（Ｌ）女性  ３８才  ◎
(57)【要約】      （修正有）【課題】アームカバーの取り付け、取り外しに複数個の固定用ボルトのため面倒な作業であり、経年変化によりボルトが落下するという欠点を解消し、取り付け、取り外しが容易なアームカバーを提供すること。【解決手段】スカラロボットのアームカバー１０において、ロボットアームの縁部に全周に亘りガイドを設け、アームカバーの弾性変形によりこのガイドに沿ってアームカバー底部を嵌め込むとともに、カバー上面からアームに固定されたブラケット１３にボルト１４により固定するようにした。【選択図】図１
2011093066.tif 000002
【特許請求の範囲】
【請求項１】
スカラロボットのアームを覆うためのアームカバーにおいて、前記アームの縁部に全周に亘りガイドを設け、前記アームカバーの弾性変形により前記ガイドに沿って前記アームカバーの底部を嵌め込むとともに、前記アームカバー上面から前記アームに固定されたブラケットにボルトにより固定したことを特徴とするスカラロボットのアームカバー。
【請求項２】
前記スカラロボットの前記アームの縁部に設けられた前記ガイドに、前記アームカバーの底部全周に亘って取り付けたパッキンを介して嵌めこむことを特徴とする請求項１記載のスカラロボットのアームカバー。
【請求項３】
前記アームカバーの材料は、プラスチックであることを特徴とする請求項１および請求項２記載のスカラロボットのアームカバー。
【発明の詳細な説明】
【技術分野】
【０００１】
本発明は、スカラロボットに係り、より一層詳細には、スカラロボットに使用されるアームのカバー（以下アームカバーという）に関する。
【背景技術】
【０００２】
従来のスカラロボットのアームカバーについて、第４図および第５図により説明すると、アームカバー１は、アーム２の上部を覆い、アームカバー１に上部からアーム２に固定されたブラケット３に、ボルト４により固定するとともに、底部からの複数個のボルト５によりアーム２に設けたインサート６を介して固定するようになっている。このようにボルトでカバーに固定する例は、特許文献においては、例えば特開２００６−１１０６４１号公報に示されている。
【先行技術文献】
【特許文献】
【０００３】
【特許文献１】特開２００６‐１１０６４１号公報
【発明の概要】
【発明が解決しようとする課題】
【０００４】
上述のようにアームカバーが構成されると、アーム２の底部からアームカバー１を固定する複数個のボルト５は、アームカバー１の取り付け、取り外しに面倒であるばかりでなく、経年変化によりインサート６の劣化等により落下することもあり、この外れたボルト５がこのロボット装置自身や他の機械装置および製品に被害を与えることもあり、従って、そのようなことを克服するということが必要とされ課題として存在した。
【０００５】
本発明の目的は、前述のようにアームカバーの取り付け、取り外しに時間がかかりまた、面倒でもあり、固定用のボルトも経年変化により落下することを防ぐという課題を解決し、さらに取り付け、取り外しが容易な、アームカバーを提供することにある。
【０００６】
このような課題を解決するために、本願発明者は、底部からのボルトによる固定を取り止めて、替わりにアームの縁部にガイドを設け、アームカバーの弾性変形によりこのガイドにアームカバーを嵌め込めば良い、という結論に達し、本発明を創出するに至った。
【課題を解決するための手段】
【０００７】
前述の目的を達成するため、本発明は、スカラロボットのアームカバーにおいて、スカラロボットのアームの縁部にガイドを設け、アームカバーの弾性変形によりこのガイドに沿ってアームカバー底部を嵌め込むとともに、カバー上面からアームに固定されたブラケットにボルトにより固定するようにしたことを特徴とするスカラロボットのアームカバーとした。
【０００８】
また、ロボットアームの縁部のガイドにアームカバーの底部全周に亘りパッキンを介して嵌めこむことを特徴とするスカラロボットのアームカバーとした。
【０００９】
さらにまた、アームカバーの材料は、プラスチックであることを特徴とするスカラロボットのアームカバーとした。
【発明の効果】
【００１０】
この発明によれば、アームカバーの取り付け、取り外しが簡単になり、面倒でなく、かつボルトの外れによる被害もなくなる。
【図面の簡単な説明】
【００１１】
【図１】この発明が適用されるスカラロボットのアームカバー説明図である。
【図２】この発明が適用されるスカラロボットのアームカバー説明図で、拡大した図１の断面Ａ‐Ａの図である。
【図３】この発明が適用される他のスカラロボットアームカバー説明図で、アームカバーにパッキンを設けた場合を示す図である。
【図４】従来のスカラロボットのアームカバー概略説明図である。
【図５】従来のスカラロボットのアームカバー概略説明図で、図４の断面Ｂ‐Ｂの図である。
【発明を実施するための形態】
【００１２】
次に本発明の１実施形態を図１および図２により説明すると、図で符号１０は、アーム１１を覆うアームカバーであって、その底部は、アーム１１の縁部に設けたガイド１２に沿ってアームカバー１１を弾性変形させて嵌め込むとともに、上部よりアーム２に固定されたブラケット１３にボルト１４により固定するようにしている。  この場合、アームカバー１０の材料は弾性変形しやすいプラスチックであればより
適切である。
【００１３】
前述のように構成したので、従来装置のようにアームの底部からの面倒な複数個のボルトによる締め付けがなくなり、さらに経年変化によるボルトの落下もなくなった。
【００１４】
ここで図３により、本発明の他の実施形態を説明すると、アームカバー１５の底部は、全周に亘ってパッキン１６が設けてあり、アームカバー１５内部への水や粉塵の浸入を防止することができる。
【符号の説明】
【００１５】
１０、１５  アームカバー
１１  アーム
１２  ガイド
１３  ブラケット
１４  ボルト
１６  パッキン
【図１】
2011093066.tif 000003
【図２】
2011093066.tif 000004
【図３】
2011093066.tif 000005
【図４】
2011093066.tif 000006
【図５】
2011093066.tif 000007
(57)【要約】      （修正有）【課題】宇宙でクリーチャー（ｃｒｅａｔｕｒｅ）が生存競争や宇宙開発などを続けるためのクリーチャー像を提供する。【解決手段】兵器や文明の利器などを有人にしたり有人飛行や有人宇宙飛行できるようにしたりするのと同じ様に、クリーチャー像が本来から有しているキャラクター（ｃｈａｒａｃｔｅｒ）やネイチャー（ｎａｔｕｒｅ）を有人にしたり有人飛行や有人宇宙飛行できるようにしたり機械化したり人工的に実現したりできるようにする。【選択図】図１
2011093509.tif 000002
【特許請求の範囲】
【請求項１】
アーマードエンジェル（ａｒｍｏｒｅｄ  ａｎｇｅｌ）の型で、メカニカルなマーシャルクリーチャーズユニット（ｍａｒｔｉａｌ  ｃｒｅａｔｕｒｅｓ  ｕｎｉｔｓ）で出来ていて、複合性を有している、宇宙でクリーチャー（ｃｒｅａｔｕｒｅ）が生存競争や宇宙開発などを続けるためのクリーチャー像。
【発明の詳細な説明】
【技術分野】
【０００１】  本発明は、宇宙でクリーチャー（ｃｒｅａｔｕｒｅ）が生存競争や宇宙開発などを続けるためのクリーチャー像に関するものである。
【背景技術】
【０００２】  兵器や文明の利器などとしてではなく、古くから続く芸術的な像として、宇宙でクリーチャー（ｃｒｅａｔｕｒｅ）が生存競争や宇宙開発などを続けるためのクリーチャー像が今までなかった。
【発明の開示】
【発明が解決しようとする課題】
【０００３】  今までのクリーチャー（ｃｒｅａｔｕｒｅ）像には、宇宙でクリーチャーが生存競争や宇宙開発などを続けるための機能がクリーチャー像にはなかった。
【課題を解決するための手段】
【０００４】  単純に、兵器や文明の利器などを有人にしたり有人飛行や有人宇宙飛行できるようにしたりするのとは異なり、本来からクリーチャー（ｃｒｅａｔｕｒｅ）像が有しているキャラクター（ｃｈａｒａｃｔｅｒ）やネイチャー（ｎａｔｕｒｅ）などを兵器や文明の利器などを有人にしたり有人飛行や有人宇宙飛行できるようにしたりするのと同じ様に、有人にしたり有人飛行や有人宇宙飛行できるようにしたりマシン（ｍａｃｈｉｎｅ）化したり人工的に実現したりできるようにする。【０００５】  ひとつの例として、クリーチャー像の両翼を、独立した機動力を有するペアでメカニカルなアーティフィシャルウィングスユニット（ａｒｔｉｆｉｃｉａｌ  ｗｉｎｇｓ  ｕｎｉｔｓ）にして、マーシャルジェット（ｍａｒｔｉａｌ  ｊｅｔ）タイプのマーシャルエンジン（ｍａｒｔｉａｌ  ｅｎｇｉｎｅ）製にして、その根元をつなげて、そのつなげた根元を密室製でマーシャルアウトフィット（ｍａｒｔｉａｌ  ｏｕｔｆｉｔ）タイプの生命維持装置にしたり、有人で宇宙を飛行することができるようにしたりする。
【発明の効果】
【０００６】  宇宙でクリーチャー像が生存競争や宇宙開発などを続けることができるようになる。
【発明の実施するための最良の形態】
【０００７】  以下、ひとつの例としての形態を図１と図２に基づいて説明する。
図において、１はクリーチャー（ｃｒｅａｔｕｒｅ）が、マーシャルジェット（ｍａｒｔｉａｌ  ｊｅｔ）タイプでマーシャルエンジン（ｍａｒｔｉａｌ  ｅｎｇｉｎｅ）製のペアでメカニカルなアーティフィシャルウィングスユニット（ａｒｔｉｆｉｃｉａｌ  ｗｉｎｇｓ  ｕｎｉｔｓ）２とその根元の３をコントロールするためまたクリーチャー像本体をコントロールするために用いられる２と３の機能の一部分を有するクリーチャー像本体で、２は１をコントロールするためのマーシャルジェットタイプでマーシャルエンジン製のペアでメカニカルなアーティフィシャルウィングスユニット（ａｒｔｉｆｉｃｉａｌ  ｗｉｎｇｓ  ｕｎｉｔｓ）で、３は密室製でマーシャルアウトフィット（ｍａｒｔｉａｌ  ｏｕｔｆｉｔ）タイプの生命維持装置で出来ている、２の根元である。
クリーチャーは２と３を有する１を用いて全体をコントロールする。
【０００８】  本発明のアーマードエンジェルの型は、アーマードクリーチャー（ａｒｍｏｒｅｄ  ｃｒｅａｔｕｒｅ）にすることもできる。
本発明のアーマードエンジェルの型は、フルアーマードエンジェル（ｆｕｌｌ  ａｒｍｏｒｅｄ  ａｎｇｅｌ）やフルアーマードクリーチャー（ｆｕｌｌ  ａｒｍｏｒｅｄ  ｃｒｅａｔｕｒｅ）の型にすることもできる。
【０００９】  本発明のクリーチャー像は、クリーチャー製のキャラクター（ｃｈａｒａｃｔｅｒ）やクリーチャー製のネイチャー（ｎａｔｕｒｅ）を有している。
【００１０】  本発明のアーマードエンジェルの型は、アウトフィット（ｏｕｔｆｉｔ）スタイルにしたりマシンタイプにしたりコンプレックスマーシャルマシンズユニット（ｃｏｍｐｌｅｘ  ｍａｒｔｉａｌ  ｍａｃｈｉｎｅｓ  ｕｎｉｔｓ）タイプにしたり特大にしたりユニットなどにすることができる。
【００１１】  本発明のクリーチャー像には、宇宙で生存競争や宇宙開発などを続けるための独立した機動力がある。
【００１２】  本発明のクリーチャー像には、様々な性質や特有性（ネイチャー，キャラクター）がある。
【００１３】  本発明のクリーチャー像の密室製の生命維持装置は、宇宙でクリーチャー（ｃｒｅａｔｕｒｅ）が生存競争や宇宙開発などを続けるために用いられる。
【００１４】  本発明のクリーチャー像の密室製の生命維持装置は、密室製のコックピットスタイルにすることもできる。
【図面の簡単な説明】
【００１５】
【図１】本発明のひとつの実施例を示す正面図である。
【図２】本発明の一部切欠断面図である。
【符号の説明】
【００１６】１、本発明のクリーチャー像本体。
２、１をコントロールするための機能を有する、マーシャルジェット（ｍａｒｔｉａｌ  ｊｅｔ）タイプでマーシャルエンジン（ｍａｒｔｉａｌ  ｅｎｇｉｎｅ）製のペアでメカニカルなアーティフィシャルウィングスユニット（ａｒｔｉｆｉｃｉａｌ  ｗｉｎｇｓ  ｕｎｉｔｓ）。
３、密室製の生命維持装置で出来ている、２の根元。
【図１】
2011093509.tif 000003
【図２】
2011093509.tif 000004
(57)【要約】      （修正有）【課題】電気自動車やハイブリッド車が走行に必要な電気を得るために使用する発電機等の使用量を減らし排気ガス中の二酸化炭素などの排出量を抑制して、地球温暖化等の環境悪化問題を少しでも改善する。【解決手段】今まで利用されていなかった走行中に発生する車体の振動を積極的に利用して、本発明装置の中で被振動体が移動することで圧電ブザーに衝突させて圧電素子に電気を発生させる事で電気エネルギーへと変換します。走行をしながら車両の２次電池（バッテリー）への補充電が可能となり走行可能な距離がのびて電気自動車などの実用性が高まります。また、本発明システムは、発電の際に特別なエネルギー源を必要とせず車両が走行する際に発生する振動を発電のエネルギー源として利用しているため発電時の二酸化炭素などの排出がなく地球環境の保護に貢献できるものです。【選択図】図２
2011093505.tif 000002
【特許請求の範囲】
【請求項１】
走行（航行）中の移動体（自動車や電車、船など）の車体（船体）から発生する振動エネルギーを、圧電ブザーに使用される圧電素子の特性を圧電ブザーとは逆に利用して振動を電気エネルギーへと変換させる事で２次電池（バッテリー）への補充電を可能とするための発電方法である。
【発明の詳細な説明】
【技術分野】
【０００１】  本発明は自動車等の車体振動を利用して発電するための方法に関する。
【背景技術】
【０００２】  従来、自動車等の車体振動は発電に利用されていなかった。
【発明の概要】
【発明が解決しようとする課題】
【０００３】  従来、利用されていなかった自動車等の走行中の車体振動を積極的に利用して発電することで、従来、電気自動車やハイブリッド車が走行に必要な電気を得るために使用する発電機等の使用量を減らし排気ガス中の二酸化炭素などの排出量を抑制して、地球温暖化等の環境悪化問題を少しでも改善しようとするものである。
【課題を解決するための手段】
【０００４】  走行中の車体振動を積極的に電気エネルギーへと変換して利用する手段である。
【発明の効果】
【０００５】１：走行中の車体振動を積極的に電気エネルギーへと変換して利用することにより電気自動車やハイブリッド車の燃費等を改善する効果がある。
２：発電に特別なエネルギー源を必要としないため、発電による二酸化炭素などの排出がなく、地球温暖化等の環境悪化問題を改善する効果がある。
【図面の簡単な説明】
【０００６】
【図１】本発明システムの簡易的な構造を示した分解図である。
【図２】本発明システムの簡易的な構造を示した上面図と断面図である。
【図３】本発明システムの応用的な構造を示した上面図と断面図である。
【図４】本発明システムを理解し易い様に簡易的な回路図の一例を示す。
【発明を実施するための形態】
【０００７】  筒状の中に内蔵された被振動体が走行中の車体からの振動により移動して筒の両端もしくは、片側に配置されている圧電ブザーに衝突を繰り返すことで圧電ブザーの圧電素子に電気を発生させて、その電気をコンデンサー等へ一旦、蓄電してから使用するものである。
【実施例】
【０００８】第１：電気自動車の車体に本発明システムを複数直列に接続して搭載する。
第２：電気自動車が走行することにより発生する車体からの振動で個々の本発明システムが発電してそれぞれのコンデンサー等へ蓄電してから車両のバッテリーへの補充電を行う。
第３：従来の電気自動車ではバッテリーに蓄えられた電気エネルギーの分しか走行できなかったのに対して、本発明システムを使用することにより走行中に車両のバッテリーへ電気エネルギーが補充されるため走行可能な距離がのびる。
【産業上の利用可能性】
【０００９】１：電気自動車やハイブリッド車等に搭載することにより燃費等の性能が向上して走行可能な距離がのびます。
２：発電時に特別なエネルギー源を必要としないため、発電による二酸化炭素等の排出がなく地球温暖化等の環境悪化を抑制できます。
【符号の説明】
【００１０】１：圧電ブザー  （図は円形を示していますが形状に指定はありません）
２：配線        （それぞれの片端が圧電ブザーの電極に接続されています）
３：被振動体    （図は球体を示していますが形状に指定はありません）
４：筒          （図は円筒形を示していますが形状に指定はありません）
５：ピストン    （応用例として接触面積を増やすために用いる場合もある）
６：ダイオード  （圧電素子から発生する電気は交流のため整流します）
７：コンデンサー（衝突により発電した電気を一旦蓄えるものである）
【図１】
2011093505.tif 000003
【図２】
2011093505.tif 000004
【図３】
2011093505.tif 000005
【図４】
2011093505.tif 000006
(57)【要約】【課題】ペットボトルの蓋を開封するとき蓋が固く締まっているときは、手の力が弱い高齢者や女性、子供は、ペットボトルの蓋を開けることが困難であった。  本発明は、以上の問題点を解決するためのペットボトルの蓋開け補助具を提供する。【手段】軟質合成樹脂又はシリコーンゴム又は柔らかい合成ゴムからなる円錐状の筒体をスカート部とし、上面は開口されていて穴とし、スカート部の下方は末広がりになり、下面を開口部としたペットボトルの蓋開け補助具。【選択図】図１
2011093605.tif 000002
【特許請求の範囲】
【請求項１】
軟質合成樹脂又はシリコーンゴム又は柔らかい合成ゴムからなる円錐状の筒体をスカート部とし、上面は開口されていて穴とし、スカート部の下方は末広がりになり、下面を開口部としたペットボトルの蓋開け補助具。
【発明の詳細な説明】
【技術分野】
【０００１】  本発明は、ペットボトルの固く締まった蓋を、弱い力でも開けることができるペットボトルの蓋開け補助具に関するものである。
【背景技術】
【０００２】  従来、ペットボトルの蓋を開封するとき蓋が固く締まっているために、とくに手の力が弱い高齢者や女性、子供は、濡らしたタオルなどを巻き付けて開封することがある。
【発明の概要】
【発明が解決しようとする課題】
【０００３】    ペットボトルの蓋を開封するとき蓋が固く締まっているときは、手の力が弱い高齢者や女性、子供は、ペットボトルの蓋を開けることが困難であった。濡れたタオルやゴムを巻きつけて、蓋を開封することは煩わしかった。
本発明は、以上の問題点を解決しようとするものである。
【課題を解決するための手段】
【０００４】  軟質合成樹脂又はシリコーンゴム又は柔らかい合成ゴムからなる円錐状の筒体をスカート部とし、上面は開口されていて穴とし、スカート部の下方は末広がりになり、下面を開口部とする。以上の構成よりなるペットボトルの蓋開け補助具。
【発明の効果】
【０００５】  本発明を使用することにより、手の力が弱い高齢者や女性、子供でも、ペットボトルの固く閉まった蓋を、容易に開けることができる。
また、本発明は、廉く製造することができる。
【図面の簡単な説明】
【０００６】
【図１】本発明の斜視図
【図２】本発明の断面図
【図３】本発明の平面図
【図４】本発明の使用状態を示す斜視図
【図５】本発明の使用状態を示す斜視図
【発明を実施するための形態】
【０００７】  以下、図１について本発明を実施するための形態を説明する。
（イ）軟質合成樹脂又はシリコーンゴム又は柔らかい合成ゴムからなる円錐状の筒体をスカート部（１）とする。
（ロ）スカート部（１）の上面は開口されていて穴（２）とする。
（ハ）スカート部（１）の下方は末広がりになり、下面を開口部（３）とする。
本発明は以上の構成よりなるので、図４のようにスカート部（１）の穴（２）が上になるようにかつ開口部（３）下になるように通常はペットボトルの肩部に装着しておく。本発明はペットボトルの肩部に密着して装着されているので、通常ペットボトルを持ち歩くときに邪魔にならない。
ペットボトルの蓋を開けるときは、図５のようにスカート部（１）の開口部（３）を上方に引き上げることにより、スカート部（１）はペットボトルの蓋に装着されるので、手指でスカート部（１）を握って蓋を廻すことにより蓋を開けることができる。
【符号の説明】  １、  スカート部
２、  穴
３、  開口部
【図１】
2011093605.tif 000003
【図２】
2011093605.tif 000004
【図３】
2011093605.tif 000005
【図４】
2011093605.tif 000006
【図５】
2011093605.tif 000007
(57)【要約】      （修正有）【課題】点眼する時、勘をたよりに点眼するのではなく目から、外れているか的中してるかを見ながら点眼出来る鏡付き点眼容器を提供する。【解決手段】点眼容器１のノズル２の根本に鏡３を設けその中心からノズルが出ている、鏡付きを特徴とする点眼容器。点眼しようとノズルをみると、注す方の目が映っていているのでノズルの位置が、映った目のどこにあるかが分かり１００％的中出来て目薬の無駄を無くす事が出来る。目薬の液が周囲に触れて、雑菌が目に入る事も無くなる。【選択図】図１
2011152380.tif 000002
【特許請求の範囲】
【請求項１】
点眼容器（１）の  液の出ていくノズル部（２）の付け根に鏡（３）を設けた  鏡付き点眼容器で鏡の中心にからノズルが出ている。
【発明の詳細な説明】
【技術分野】
【０００１】この発明は、点眼容器のノズル部に、鏡を設けた鏡付き点眼容器で目薬を、注す方の目で的中しているか外れてるかを見ながら点眼が出来るようにしたものである。
【背景技術】
【０００２】従来、点眼容器に鏡等付いてるものが無かった。
【発明の開示】
【発明が解決しようとする課題】
【０００３】これまで、次のような欠点があった。
従来の点眼容器は、ノズルの位置を目に向けて、上を向きながら勘にたよって注しています。
特に慣れてない子供や、勘の鈍った御老人は、的を外しながら注して、何滴も無駄にしたりしています。
本発明は、以上のような欠点を無くす為になされたものである。
【課題を解決する為の手段】
【０００４】キャップを外した点眼容器（１）のノズル（２）の付け根に、鏡（３）を設け、その中心の穴から（２）のノズルの先端が出ている。
本発明は、以上の構成よりなる鏡付き点眼容器である。
【発明の効果】
【０００５】点眼しようとノズルをみると、注す方の目が映っていているのでノズルの位置が、映った目のどこにあるかが分かり１００％的中出来て目薬の無駄を無くす事が出来る。
目薬の液が周囲に触れて、雑菌が目に入る事も無くなる。
他人に目薬を注してあげるような感じで、自分の目に注す事が出来る。
【発明をを実施する為の最良の形態】
【０００６】以下、本発明を実施する為の最良の形態について説明する。
点眼容器（１）のノズル（２）の根本に鏡（３）を設けて、その中心の穴からノズルの先端部が出ている。
本発明は以上のような構造である。
点眼する時、液の出るノズルが目のどの位置にあるかがすぐ判ります。
【図面の簡単な説明】
【０００７】
【図１】  本発明の斜視図である。
【図２】  本発明の断面図である。
【符号の説明】
【０００８】１  点眼容器
２  ノズル
３  鏡
４  キャップ
【図１】
2011152380.tif 000003
【図２】
2011152380.tif 000004
(57)【要約】【課題】絵画を見ながらその名称を学習する事を目的とする、ＬＥＤランプ付玩具を提供する。【解決手段】プラスチック覆板により構成されるボード版の表部中央及び左側に、絵図と複数の２回路入りきりスイッチ及び同数のＬＥＤランプを備える、ボード版右側に文字列と同数の２回路入りきりスイッチを備え、ボード版の周囲に点滅回路と、ＬＥＤランプ群を備える、電源よりスイッチ群と点滅回路、ＬＥＤランプ群に配線接続する。以上の構成よりなるＬＥＤランプ付学習用玩具である。【選択図】図４
2011152374.tif 000002
【特許請求の範囲】
【請求項１】
手軽に持てる大きさのボード版、中央及び左側（以降Ｂ側と呼ぶ）に絵図と複数の２回路入り切りスイッチ（以降スイッチと呼ぶ）と同数のＬＥＤランプを備え、ボード版右側（以降Ａ側と呼ぶ）に文字列と同数のスイッチを備える。ボード版の周囲に、点滅回路と、複数のＬＥＤランプ群を備える。電源は電池又はアダプタ使用による低電圧電気により各スイッチと、ＬＥＤランプ群に配線接続する。Ｂ側のスイッチ群から選定したスイッチによるＢ側ＬＥＤランプの点灯と、Ａ側スイッチ群から選定したＢ側ＬＥＤランプの通電が、一致した場合のみ、ボード版の周囲にある点滅回路と周囲にあるＬＥＤランプ群に通電しＬＥＤランプ群が、点滅発光することを特徴とする学習用玩具。
【発明の詳細な説明】
【技術分野】
【０００１】この発明はＬＥＤランプの点滅発光による意外性や満足感を味わうことで子供の学習意欲を、向上させる事を目的とする、ＬＥＤランプ付き学習用玩具に関する。
【背景技術】
【０００２】従来一般的なＬＥＤランプを利用した玩具は多いが、学習用としての玩具は、絵画、色彩、塗り絵、パズル等の玩具セットが行はれている。
【発明が解決しょうとする課題】
【０００３】これは次のような欠点があった。
部品の多くを利用したもの、小道具を利用した玩具は、作業終了時、子供の苦手とする跡片付けの欠如による部品の紛失や欠損等で次回からの学習に支障をきたす。
【課題を解決しょうとする手段】
【０００４】前記の課題を解決しょうとする手段は以下の通りである。本発明はノートパソコンの様に，持ち運びや、片付け収納が容易であり、小道具を必要としない。本発明のＬＥＤランプ付き学習用玩具は次の構成となる、プラスチック覆板により構成されるボード版１の表部の絵画の部位にＢ列スイッチ群２とＬＥＤランプ群３を設ける、Ａ列文字群にスイッチ群４を設けボード版１の周囲に点滅回路５とＬＥＤランプ群７を設ける、電源６からスイッチ群２、４と点滅回路５、ＬＥＤランプ群３、７に配線接続する。以上の構成よりなるＬＥＤランプ付き学習用玩具である。
発明の効果
【０００５】ＬＥＤランプ群７は白色、赤色、青色、緑色、オレンジ色等のＬＥＤランプを使用しており、正解した場合、ＬＥＤランプの点滅発光による意外性や満足感を味わう。
発明を実施するための最良の形態
【０００６】ボード版１の表部の絵画より任意に選定した、絵画のスイッチを、Ｂ列スイッチ群２より選定しＯＮとし、ＬＥＤランプ３を点灯させる、Ａ列文字群より、ＬＥＤランプの点灯している絵画の名称と思われるスイッチを、スイッチ群４より選定しＯＮとする、正解の場合は点滅回路５、ＬＥＤランプ群７、に通電されＬＥＤランプ群７が点滅発光する。不正解の場合は、別個にＡ列文字の名称のＬＥＤランプ３が点灯する。
【実施例】
【０００７】図面４は日本地図の都道府県名を学習する実施例である、ボード版１のＢ側に日本列島の地図を置く、各都道府県毎にスイッチ群２とＬＥＤランプ群３を設ける。日本地図上の特定の県を選定し、スイッチ群２より選定した県のスイッチをＯＮにしその県のＬＥＤランプを点灯させる。Ａ側文字群には日本地図上の都道府県名を列記しＬＥＤランプの点灯していると思われる県名をスイッチ群４より選択し、スイッチをＯＮにしその名称の県のＬＥＤランプを点灯させる、Ｂ側のＬＥＤランプの点灯している場所とＡ側の県の名称が一致した場合はボード版１の周囲にある点滅回路５、ＬＥＤランプ群７、に通電されＬＥＤランプ群が点滅発光する。不正解の場合は別個、押された県名のＬＥＤランプが点灯する【０００８】ボード版１の画版Ｂ側に、世界地図を置き、主要国名を学習することも同様とする、【０００９】日本地図をおく場合は，県名、県庁所在地、又日本地図を、北海道、東北、関東、中部、四国、九州，等に分割し主要都市、鉄道、半島、湾、湖、等地理の学習も同様とする。【００１０】ボード版１の画版Ｂ側に、単品の絵画をおく場合は、動物としては犬の種類や、鳥、魚，昆虫、植物としては、樹木、草花、等やその他、絵お見ながらの外国語の単語学習も同様とする。【００１１】ボード版１の画版Ｂ側に、置く絵画が地理を除く単品の場合は表紙を上張りする事で子供達が飽きることなく多種類の学習を可能とし、低学年、高学年と対象者を分ける事で絵画の選定も可能とする。
【図面の簡単な説明】
【００１２】
【図１】本発明の正面図である。
【図２】本発明の図１、Ａ−Ａ断面図である。
【図３】本発明の配線図である。
【図４】本発明の絵画部分に日本地図を置いた場合の実施図である。
【符号の説明】
【００１３】１      ボード版
２      Ｂ側スイッチ群（ＢＳ１  ＢＳ２  ＢＳ３）
３      Ｂ側ＬＥＤランプ群（ＬＥＤ１  ＬＥＤ２  ＬＥＤ３）
４      Ａ側スイッチ群（ＡＳ１  ＡＳ２  ＡＳ３）
５      点滅回路
６      電源
７      ボード版周囲のＬＥＤランプ群
【図１】
2011152374.tif 000003
【図２】
2011152374.tif 000004
【図３】
2011152374.tif 000005
【図４】
2011152374.tif 000006
【手続補正書】
【提出日】平成22年3月19日(2010.3.19)
【手続補正１】
【補正対象書類名】特許請求の範囲
【補正対象項目名】請求項１
【補正方法】変更
【補正の内容】
【請求項１】
手軽に持てる大きさのボード版、中央（以降Ｂ側と呼ぶ）に絵図と複数の２回路入り切りスイッチ（以降スイッチと呼ぶ）と同数のＬＥＤランプを備え、ボード版余白（以降Ａ側と呼ぶ）に文字列と同数のスイッチを備える。ボード版の周囲に、点滅回路と、複数のＬＥＤランプ群を備える。電源は電池又はアダプタ使用による低電圧電気による、各スイッチと、ＬＥＤランプ群に配線接続する。Ｂ側のスイッチから選定したスイッチによるＢ側ＬＥＤランプの点灯と、Ａ側スイッチ郡から選定したＢ側ＬＥＤランプの通電が一致した場合のみ、ボード版の周囲にある点滅回路と周囲にあるＬＥＤランプ群に通電し、ＬＥＤランプ群が、発光点滅することを特徴とする学習用玩具。
(57)【要約】【課題】  従来の枕は、不快感があったり、そばがらの防虫防菌処理が必要であったり、寝返りを打った際顔面を傷めるという問題があった。これは、枕に合成樹脂や化学製品といった素材が使用されたり、堅い木材が顔を圧迫するからである。【解決手段】  中詰材を球状にすることにより首にあたる肌触りを心地よいものとし、無反発材により首にかかる圧力を軽減し、天然木材が発するセラピー効果臭により心地よい安眠を提供することができる。【選択図】図１
2011152377.tif 000002
【特許請求の範囲】
【請求項１】
本体ネットで中詰空間を形設し、球状中詰材が横方向にずれすぎない構造とするために、中詰空間を分割するための間仕切りネットを内設し、該中詰空間に球状中詰材を挿入した森林浴安眠枕。
【請求項２】
中詰空間に無反発材を内設した請求項１記載の森林浴安眠枕。
【発明の詳細な説明】
【技術分野】
【０００１】  本発明は、睡眠時のセラピー効果を図った森林浴安眠枕に関するものである。
【背景技術】
【０００２】  従来の枕には、合成樹脂や化学製品の枕やそばがらを入れた枕がある。
また、枕自体を木製にしたものもある（例えば特許文献１参照。）。【０００３】  以下、図４、図５により従来の枕について説明する。図４において本体が合成樹脂や化学製品でできている。【０００４】  図５において、枕の内部にはそばがらが入れられている。【０００５】図６において、木材を形成した枕もある。
【先行技術文献】
【特許文献】
【０００６】
【特許文献１】  登録実用新案第３１２３８９８号
【発明の概要】
【発明が解決しようとする課題】
【０００７】  以上に述べた従来の枕では、合成樹脂や化学製品といった素材の材質が頭髪に影響を与え、不快感があったり、そばがらの防虫防菌処理が必要であったり、寝返りを打った際顔面を傷めるというものであった。【０００８】  本発明は、このような従来の構成が有していた問題点を解決しようとするものであり、中詰材を球状にすることにより首にあたる肌触りを心地よいものとし、無反発材により首にかかる圧力を軽減し、天然木材が発するセラピー効果臭により心地よい安眠ができることを目的とするものである。
【課題を解決するための手段】
【０００９】  そして、本発明は上記課題を解決するために本体ネットで中詰空間を形設し、球状中詰材が横方向にずれすぎない構造とするために、中詰空間を分割するための間仕切りネットを内設し、該中詰空間に球状中詰材を挿入したものである。【００１０】また、第２の課題解決手段は、中詰空間に無反発材を内設する構成としたものである。【００１１】  上記第１の課題解決手段による作用は次のとおりである。すなわち、中詰材を球状にすることにより首にあたる肌触りがよくなり、また、同中詰材の素材を天然木材にすることによりセラピー効果臭を発する。【００１２】  また、第２の課題解決手段による作用は、無反発材が内設されているため、首にかかる圧力を軽減する効果を発揮する。
【発明の効果】
【００１３】  上述したように、本発明の森林浴安眠枕は、首にあたる肌触りが心地よいものとなるとともに、首にかかる圧力を軽減する効果を発揮する。【００１４】  また、中詰材を天然木材にすることによりセラピー効果臭をも放つことが期待できる。
【図面の簡単な説明】
【００１５】
【図１】  本発明の側面から見た外観図
【図２】  同森林浴安眠枕の上面からみた外観図
【図３】  同無反発材の側面から見た外観図
【図４】  従来の枕の外観図
【図５】  同そばがら使用の部分内部図
【図６】  同木材製の外観図
【発明を実施するための最良の形態】
【００１６】  以下、本発明の実施の形態を図１〜図３に基づいて説明する。【００１７】  図においては、１は本体ネットであり、２の中詰空間を形成し、３の間仕切りネットで分割されており、２の中詰空間には４の球状中詰材が挿入されている。そして、５の無反発材は２の中詰空間に内設されている。【００１８】  以下、上記構成の詳細・作用を説明する。１の本体ネットは素材に天然糸が使用され、網目が１ｍｍ〜１５ｍｍに形成されており、２の中詰空間には１の本体ネットと同材が使用された３の間仕切りネットで分割され、高さが５０ｍｍ〜１５０ｍｍに形成されている。【００１９】  ４の球状中詰材は檜・杉等の天然木材が使用されているため防腐剤等は使用されず、直径３ｍｍ〜２０ｍｍに加工され、２の中詰空間に挿入されている。４の球状中詰材の加工中に木材屑が発生するが、この時は高圧エアーで洗浄する。【００２０】  また、５の無反発材はウレタン系やシリコンゴム系の素材が使用され、厚さ１５ｍｍ〜４０ｍｍ程度に形成されており、２の中詰空間に内設されている。
【符号の説明】
【００２１】１．本体ネット
２．中詰空間
３．間仕切ネット
４．球状中詰材
５．無反発材
【図１】
2011152377.tif 000003
【図２】
2011152377.tif 000004
【図３】
2011152377.tif 000005
【図４】
2011152377.tif 000006
【図５】
2011152377.tif 000007
【図６】
2011152377.tif 000008
(57)【要約】【課題】  この発明は、洗髪後に使用するヘヤードライヤーを利用する際に、ドライヤー効果を高めるとともに、時間を短縮し、電気の使用量も少なくする効果を生む、ヘヤードライヤー用簡易キャップを提供する。【解決手段】  従来のヘヤーキャップを丈夫で大き目の仕様にし、その一部にドライヤー本体への接続口を設け、キャップの端には、取り入れた温風や冷風の逃げ口のための穴を適宜開けることにより、ドライヤー効果を高めるためのヘヤードライヤー用簡易キャップを特徴とする。【選択図】図１
2011152386.tif 000002
【特許請求の範囲】
【請求項１】
キャップにドライヤー本体との接続口を設け、ドライヤー本体から噴出させた温風や冷風の逃げ口を設け、熱効率を良くするためのヘヤードライヤー用簡易キャップ
【発明の詳細な説明】
【技術分野】
【０００１】この発明は、頭髪をシャンプーした後。ドライヤーの温風や冷風を効率良く利用し、なお且つ頭髪の乾燥時間も短縮するためのヘヤードライヤー用簡易キャップに関するものである。
【背景技術】
【０００２】従来のヘアードライヤーは、美容院などの業務用は別として、個人が使うものは、頭髪をシャンプーした後。ドライヤー本体から、濡れた頭髪に直接温風や冷風を吹きつけるか、または本体にブラシを取りつけて、頭髪を乾かす方法が取られていた。
【先行技術文献】
【０００３】
【特許文献１】
【非特許文献１】
【発明の概要】
【発明が解決しようとする課題】
【０００４】  それには次のような欠点があった。
（イ）キャップ無しの使用は、ドライヤーから噴き出す温風や冷風の大半が空気中へ無駄に飛び去り、濡れた頭髪を乾かす熱効率が極めて低い。
（ロ）従って濡れた頭髪を乾かす時間も長くかかり、電気の無駄遣いに繋がっていた。
本発明は、以上のような欠点をなくすためになされたものである。
【課題を解決するための手段】
【０００５】ドライヤーの温風または冷風を取り入れるための接続口を、別部品のブラシ同様、キャップの一部に仕様することによって、キャップを本体にセットし、温風や冷風をキャップの中へ吹き込ませることが出来るようにする。
キャップを本体にセットするための接続口は、キャップの頭頂部よりも少し下げ、右利き、左利き。どちらにでも。また、位置を三百六十度自由にずらし、それにより腕の疲れを軽減し、使用する者の便宜を図るようにする。
濡れたままの状態は基より、カーラーを巻いた状態でも使用出来るようにするためと、温風や冷風が頭部全体に回りやすくするため、キャップは従来の物よりもかなり大きめの仕様とする。
なおまた。取り込んだ温風や冷風がキャップ内に籠もるのを防ぎ、なお且つ、通風を良くするため、キャップの端に適度に開けられた穴によって、まんべんなく外へ逃がす仕様にする。
本発明は、以上の構成よりなるヘヤードライヤー用簡易キャップである。
【発明の効果】
【０００６】（イ）このヘヤードライヤー用簡易キャップを使用することにより、ドライヤー本体から噴き出す温風や冷風を頭髪にまんべんなく行き渡らせることが出来、かつまた、取り入れた温風や冷風を、適宜に開けられた穴からキャップの外に逃がすことにより、顔や首筋の皮膚へ直接かかるのを防ぐことが出来る。
（ロ）このキャップを使用することで、従来のようにドライヤーの温風や冷風を無駄に逃がすことなく、頭部全体に行き渡らせることが出来、従って熱効率も良くなり、電気の使用時間も短縮出来、省エネに繋がるという効果も生む。
【図面の簡単な説明】
【０００７】
【図１】本発明の本体図である。
【図２】本発明の使用中の図である。
【図３】同じく本発明の使用中の図である。
【発明を実施するための形態】
【０００８】  以下、本発明を実施するための形態について説明する。
繰り返し何度も使用するため、従来使用されている入浴用の使い捨てキャップよりも丈夫な素材を用い、カーラーを巻いた状態であっても被りやすくするため、キャップは大き目にし（図１−▲１▼）
ドライヤー本体と接続するための接続口を設け（図１−▲２▼）、かぶり口はゴム仕様とし（図１−▲４▼）
キャップの端周辺には、ドライヤーからの温風や冷風を逃がすための穴を適度に開けておく（図１−▲３▼）
本発明は、以上のような構造である。
これを使用する時は、濡れた頭髪やカーラーを巻いた頭髪をドライヤーの温風や冷風の加減を調節しながら乾かせばよい。（図２）
【符号の説明】
【０００９】▲１▼  ヘヤードライヤー用簡易キャップ
▲２▼  ドライヤー本体との接続口
▲３▼  ドライヤー本体から噴出させた温風や冷風の逃げ口
▲４▼  簡易キャップのかぶり口
▲５▼  ドライヤー本体
▲６▼  取り外した状態の付属ブラシ（参考図）
【図１】
2011152386.tif 000003
【図２】
2011152386.tif 000004
【図３】
2011152386.tif 000005